(57)【要約】【課題】  スピーカやマイク位置そのものの移動及び調節を可能にする方法では、携帯電話機のスピーカ、マイク以外のハード構造にも影響を及ぼす可能性がある。携帯電話機のヒンジ部の開閉角度を回転機構により制御する方法では、使用者の任意の開閉角度に調整することができない。【解決手段】  筐体開閉角度調節器４の角度制限部分４ｂに第２の筐体部２の外側面が接触することにより、第２の筐体部２の動きを規制し、第１の筐体部１の内側面と第２の筐体部２の内側面との間の開状態のときの開き角度を物理的に制限している。筐体開閉角度調節器４は、開き角度に制限を付加する目的にのみ使用され、それ以外の機能にはマイナスとなる要因を与えない。上記の開き角度は、利用者の口と耳との間の距離に対応したマイク５とスピーカ８とを結ぶ直線の距離に関連した高さに設定される。【選択図】            図２
2005086288.tif 000002
【特許請求の範囲】
【請求項１】
内側面に少なくともマイクが設けられた第１の筐体部と、内側面に少なくともスピーカが設けられた第２の筐体部の各一側端部が開閉自在にヒンジ部により結合された折畳式携帯無線端末の前記第１の筐体部と前記第２の筐体部との開閉角度を調節する筐体開閉角度調節器であって、
前記ヒンジ部付近の前記第１及び第２の筐体部の少なくともどちらか一方の所定位置に着脱自在に接続される基体部分と、
前記基体部分の所定位置に固定され、前記第１の筐体部の内側面と前記第２の筐体部の内側面とが対向して略接触する閉状態時には、前記第１及び第２の筐体部の各外側面と非接触であり、前記第１の筐体部の内側面と前記第２の筐体部の内側面とが離間する開状態時には、前記第１又は第２の筐体部の外側面と接触して、該第１及び第２の筐体部の各内側面の間の開き角度を所定角度以下に制限する角度制限部分と
を有することを特徴とする折畳式携帯無線端末の筐体開閉角度調節器。
【請求項２】
前記折畳式携帯無線端末は、前記第１の筐体部の内側面に前記マイクと共に操作用各種キーが設けられており、前記第２の筐体部の内側面に前記スピーカと共に表示部が設けられた折畳式携帯電話機であり、前記角度制限部分は、前記開状態時には前記第２の筐体部の外側面と接触することを特徴とする請求項１記載の折畳式携帯無線端末の筐体開閉角度調節器。
【請求項３】
閉状態にあるときの前記第１及び第２の筐体部の各内側面と平行な前記基体部分の底面から前記角度制限部分の上面までの高さは、利用者の口と耳との間の距離に対応した前記マイクとスピーカとを結ぶ直線の距離に関連した高さに設定されることを特徴とする請求項１又は２記載の折畳式携帯無線端末の筐体開閉角度調節器。
【請求項４】
閉状態にあるときの前記第１及び第２の筐体部の各内側面に対して直交する方向に前記角度制限部分を移動して任意の位置に保持する、前記角度制限部分の高さ位置を調節するための高さ調節機構を更に有することを特徴とする請求項１又は２記載の折畳式携帯無線端末の筐体開閉角度調節器。
【請求項５】
前記基体部分は、前記ヒンジ部付近の前記第１の筐体部の、前記ヒンジ部に結合された一側端部に隣接する２つの側面部を挟み込む形で締め付け用具にて締め付けられて前記第１の筐体部に固定されることを特徴とする請求項１又は２記載の折畳式携帯無線端末の筐体開閉角度調節器。
【請求項６】
内側面に少なくともマイクが設けられた第１の筐体部と、内側面に少なくともスピーカが設けられた第２の筐体部の各一側端部が開閉自在にヒンジ部により結合された折畳式携帯無線端末において、
前記第１の筐体部の内側面と前記第２の筐体部の内側面とが対向して略接触する閉状態時には、前記第１及び第２の筐体部の各外側面と非接触であり、前記第１の筐体部の内側面と前記第２の筐体部の内側面とが離間する開状態時には、前記第１又は第２の筐体部の外側面と接触して、該第１及び第２の筐体部の各内側面の間の開き角度を所定角度以下に制限する筐体開閉角度調節器が、前記ヒンジ部付近の前記第１及び第２の筐体部の位置に装着されていることを特徴とする折畳式携帯無線端末。
【発明の詳細な説明】
【技術分野】
【０００１】
本発明は折畳式携帯無線端末の筐体開閉角度調節器に係り、特に、第１の筐体部と第２の筐体部の各一側端部が開閉自在にヒンジ部により結合された折畳式携帯電話機等の折畳式携帯無線端末の第１の筐体部と第２の筐体部との開閉角度を調節する折畳式携帯無線端末の筐体開閉角度調節器に関する。
【背景技術】
【０００２】
内側面にマイクや各種キーが設けられた第１の筐体部と、内側面に表示部やスピーカが設けられた第２の筐体部の各一側端部が開閉自在にヒンジ部により結合された構造の折畳式携帯電話機では、近年、多機能化が進んでいる背景もあり、第１及び第２の筐体部の長さが比較的長く、そのため、第１及び第２の筐体部の各内側面同士を完全に開いた使用状態では、第１の筐体部の内側面に設けられたマイクから、第２の筐体部の内側面に設けられたスピーカまでの距離が、利用者の口から耳までの長さを超えているケースがある（例えば、子供や女性では特に顕著なケースと考えられる）。このようなケースにおいては、携帯電話機そのもののハードスペックを十分に活かしきれないと予想される。
【０００３】
そこで、本問題を解消するための方法として次の２つの方法が考えられる。第１の方法は、スピーカ位置、マイク位置そのものの移動及び調節を可能にする方法であり、第２の方法は、携帯電話機の筐体開閉角度を調節するという、既存の機能を使用する方法である。この筐体開閉角度を調節するため、従来より、ヒンジ部の開閉角度を調整する回転機構を制御して、ヒンジ部の開閉角度を一定範囲で変化させつつ、無線信号の受信レベルを検出し、この受信レベルが最大となる開閉角度が保持されるように、ヒンジ部の開閉角度を保持する回転機構を制御する制御機構を備えた折畳式携帯電話機が知られている（例えば、特許文献１参照）。
【０００４】
また、ヒンジ部に調整機構を取り付けることにより、第１の筐体部と第２の筐体部との開閉角度を９０度から１８０度の間でユーザによって任意に調整される筐体開閉角度調節器が、本出願人により提案されている（例えば、特願２００３−１０７７０４号）。
【０００５】
【特許文献１】特許第３４２４６０７号
【発明の開示】
【発明が解決しようとする課題】
【０００６】
しかるに、マイクからスピーカまでの距離を調整するための上記の第１及び第２の方法のうち、第１の方法では、携帯電話機のスピーカ、マイク以外のハード構造にも影響を及ぼす可能性があり、またデフォルトのスピーカ位置、マイク位置で問題無い使用者が存在した場合、移動及び調節機能そのものが不要であるため、結果としてサービスダウンとなってしまうと考えられる。また、上記の第２の方法を実現する特許文献１記載の折畳式携帯電話機は、受信レベルを最大とするようにヒンジ部の開閉角度を制御することで、第１及び第２の筐体部の開閉角度を調整するものであり、使用者の任意の開閉角度に調整することができない。
【０００７】
また、上記の本出願人の提案になる従来の筐体開閉角度調節器は、携帯電話機本体のヒンジ部分に内蔵若しくは外付けにより設けられ、ヒンジ部分の機構に依存して角度調節する構成である。一方、折畳式携帯電話機の利用態様の一つに、机上に置いた状態で利用することがあるが、折畳式携帯電話機を机上に置いて第１及び第２の筐体部を所定角度開いた状態で保持する場合、開状態の角度というのはハードのヒンジ部に依存するため、上記の本出願人の提案になる従来の筐体開閉角度調節器を用いても利用者の好む角度で筐体を保持することが困難である。
【０００８】
特に近年の折畳式携帯電話機では、カメラ搭載、高精細液晶の搭載等の高機能化により、液晶表示素子による表示部が設けられた第２の筐体部の重量が大きく、操作用キーが設けられた第１の筐体部を机上に設置した状態で、第１及び第２の筐体部を任意の角度開いた状態で保持することは困難である。
【０００９】
本発明は以上の点に鑑みなされたもので、既存の折畳式携帯無線端末の構成を変更することなく、第1及び第２の筐体部の開閉角度を任意に調節し得る折畳式携帯無線端末の筐体開閉角度調節器を提供することを目的とする。
【００１０】
また、本発明の他の目的は、既存の折畳式携帯無線端末の携帯性を損なうことなく装着し得る折畳式携帯無線端末の筐体開閉角度調節器を提供することにある。
【００１１】
更に、本発明の他の目的は、操作用キーが設けられた第１の筐体部を机上に設置した状態で、第１及び第２の筐体部を任意の角度開いた状態で長期間保持し得る折畳式携帯無線端末の筐体開閉角度調節器を提供することにある。
【課題を解決するための手段】
【００１２】
上記の目的を達成するため、第１の発明の折畳式携帯無線端末の筐体開閉角度調節器は、内側面に少なくともマイクが設けられた第１の筐体部と、内側面に少なくともスピーカが設けられた第２の筐体部の各一側端部が開閉自在にヒンジ部により結合された折畳式携帯無線端末の第１の筐体部と第２の筐体部との開閉角度を調節する筐体開閉角度調節器であって、ヒンジ部付近の第１及び第２の筐体部の少なくともどちらか一方の所定位置に着脱自在に接続される基体部分と、基体部分の所定位置に固定され、第１の筐体部の内側面と第２の筐体部の内側面とが対向して略接触する閉状態時には、第１及び第２の筐体部の各外側面と非接触であり、第１の筐体部の内側面と第２の筐体部の内側面とが離間する開状態時には、第１又は第２の筐体部の外側面と接触して、第１及び第２の筐体部の各内側面の間の開き角度を所定角度以下に制限する角度制限部分とを有することを特徴とする。
【００１３】
この発明では、外付けのアタッチメント形式にて折畳式携帯無線端末に取り付けることができ、また、折畳式携帯無線端末のヒンジ部分に近い位置で筐体開角度に制限を持たせるようにしたため、非常にコンパクトに折畳式携帯無線端末の第１及び第２の筐体部の各内側面の間の開き角度を所定角度以下に制限することができる。また、この発明では、単にヒンジ部分の制御により角度調節を行うのではなく、第１の筐体部及び第２の筐体部そのものの動作範囲を制限する角度調節機能を有し、第１及び第２の筐体部の両方を保持する構造を有する。
【００１４】
また、上記の目的を達成するため、第２の発明の筐体開閉角度調節器は、第１の発明における折畳式携帯無線端末を、第１の筐体部の内側面にマイクと共に操作用各種キーが設けられており、第２の筐体部の内側面にスピーカと共に表示部が設けられた折畳式携帯電話機とし、また、角度制限部分を、開状態時には第２の筐体部の外側面と接触することを特徴とする。この発明では、操作用の各種キーが設けられた第１の筐体部を机上に設置した状態で、第１及び第２の筐体部を任意の角度開いた状態で長期間保持できる。
【００１５】
また、上記の目的を達成するため、第３の発明の筐体開閉角度調節器は、閉状態にあるときの第１及び第２の筐体部の各内側面と平行な基体部分の底面から角度制限部分の上面までの高さは、利用者の口と耳との間の距離に対応したマイクとスピーカとを結ぶ直線の距離に関連した高さに設定されることを特徴とする。この発明では、筐体開角度を制限するようにしたため、スピーカとマイク間の距離を短縮できると共に、使用時に折畳式携帯電話機の画面が見やすくできる。
【００１６】
また、上記の目的を達成するため、第４の発明の筐体開閉角度調節器は、閉状態にあるときの第１及び第２の筐体部の各内側面に対して直交する方向に角度制限部分を移動して任意の位置に保持する、角度制限部分の高さ位置を調節するための高さ調節機構を更に有することを特徴とする。この発明では、利用者の任意の筐体開角度に制限することができる。
【００１７】
また、上記の目的を達成するため、第５の発明の筐体開閉角度調節器は、第１の発明又は第２の発明の基体部分を、ヒンジ部付近の第１の筐体部の、ヒンジ部に結合された一側端部に隣接する２つの側面部を挟み込む形で締め付け用具にて締め付けられて第１の筐体部に固定されることを特徴とする。
【００１８】
更に、上記の目的を達成するため、第６の発明の折畳式携帯無線端末は、内側面に少なくともマイクが設けられた第１の筐体部と、内側面に少なくともスピーカが設けられた第２の筐体部の各一側端部が開閉自在にヒンジ部により結合された折畳式携帯無線端末において、第１の筐体部の内側面と第２の筐体部の内側面とが対向して略接触する閉状態時には、第１及び第２の筐体部の各外側面と非接触であり、第１の筐体部の内側面と第２の筐体部の内側面とが離間する開状態時には、第１又は第２の筐体部の外側面と接触して、第１及び第２の筐体部の各内側面の間の開き角度を所定角度以下に制限する筐体開閉角度調節器が、ヒンジ部付近の第１及び第２の筐体部の位置に装着されていることを特徴とする。この発明では、第１及び第２の筐体部の各内側面の間の開き角度を、マイクとスピーカの間の距離が利用者の口と耳との距離に合わせるような制限をする折畳式携帯無線端末を提供することができる。
【発明の効果】
【００１９】
本発明の第１の効果は、折畳式携帯無線端末の第１及び第２の筐体部の各内側面の間の開き角度を、マイクとスピーカの間の距離が利用者の口と耳との距離に合わせるような制限することができると共に、その開き角度の制限を、既存、新規を問わずどのような折畳式携帯無線端末にも適用することができることにある。本発明の筐体開閉角度調節器は、外付けのアタッチメント形式にて折畳式携帯無線端末に取り付けられるためである。
【００２０】
また、本発明の第２の効果は、折畳式携帯無線端末に装着した場合であっても既存の折畳式携帯無線端末の携帯性を損なうことがないことである。その理由は、折畳式携帯無線端末のヒンジ部分に近い位置で筐体開角度に制限を持たせており、非常にコンパクトに折畳式携帯無線端末の第１及び第２の筐体部の各内側面の間の開き角度を所定角度以下に制限することができるためである。
【００２１】
また、本発明の第３の効果は、本発明は単にヒンジ部分の制御により角度調節を行うのではなく、第１の筐体部及び第２の筐体部そのものの動作範囲を制限する角度調節機能を有するものであり、第１及び第２の筐体部の両方を保持する構造を有するため、操作用の各種キーが設けられた第１の筐体部を机上に設置した状態で、第１及び第２の筐体部を任意の角度開いた状態で長期間保持でき、机上等に設置したときの安定感を向上できる。
【００２２】
また、本発明の第４の効果は、折畳式携帯無線端末の使用時の使い勝手を向上できることである。その理由は、スピーカとマイク間の距離の短縮のために筐体開角度を制限すると、使用時に折畳式携帯無線端末の画面が見やすくなるためである。
【発明を実施するための最良の形態】
【００２３】
次に、本発明を実施するための最良の形態について図面と共に説明する。図１は本発明になる折畳式携帯無線端末の筐体開閉角度調節器の一実施の形態の非装着状態と装着状態の折畳式携帯無線端末の斜視図を示す。すなわち、図１（Ａ）は筐体開閉角度調節器の非装着状態のときの折畳式携帯無線端末の一例の外観斜視図、図１（Ｂ）は本発明の筐体開閉角度調節器の一実施の形態の装着状態のときの折畳式携帯無線端末の一例の外観斜視図を示す。両図中、同一構成部分には同一符号を付してある。
【００２４】
図１（Ａ）は、折畳式携帯無線端末の一例としての従来の折畳式携帯電話機が示されており、この折畳式携帯電話機は内側面にマイクや各種キーが設けられた第１の筐体部１と、内側面に表示部やスピーカが設けられた第２の筐体部２の各一側端部が開閉自在にヒンジ部３により結合された構造である。図１（Ａ）は、第１の筐体部１の内側面と第２の筐体部２の内側面とが対向して略密接する「閉」状態（「折畳」状態）を示す。第１の筐体部１の底面（外側面）は平坦であり、机上等に設置する場合にも影響を与えないものとする。
【００２５】
図１（Ｂ）は、図１（Ａ）に示した折畳式携帯電話機のヒンジ部３の外部にアタッチメントとして本実施の形態の筐体開閉角度調節器４が取り付けられた状態の外観斜視図を示す。筐体開閉角度調節器４は、第１の筐体部１と略同じ厚さ（高さ）と幅を有し、かつ、所定の長さを有する所定の平板状基体部分４ａと、基体部分４ａの上に設けられた、第１の筐体部１と略同じ厚さ（高さ）と幅を有する四角柱状の角度制限部分４ｂとからなり、全体として断面がＬ字状の構成である。角度制限部分４ｂは、折畳式携帯電話機の折畳状態では、図１（Ｂ）に示すように、第２の筐体部２とは非接触となるような基体部分４ａの上の位置に設けられている。また、筐体開閉角度調節器４は、折畳式携帯電話機に対して着脱自在に設けられる。
【００２６】
図２（Ａ）は筐体開閉角度調節器の非装着状態で、開状態の折畳式携帯無線端末の一例の外観斜視図、図２（Ｂ）は本発明の筐体開閉角度調節器の一実施の形態の装着状態で、開状態のときの折畳式携帯無線端末の一例の外観斜視図を示す。両図中、同一構成部分には同一符号を付してある。
【００２７】
図２（Ａ）は、第１の筐体部１の内側面と第２の筐体部２の内側面とが所定角度離間された「開」状態の外観を示しており、第１の筐体部１の内側面には、マイク５や操作用の各種キー６が設けられている。また、第２の筐体部２の内側面には、液晶表示素子による表示部７やスピーカ８が設けられている。この構成自体は従来と同じである。
【００２８】
図２（Ｂ）は、図２（Ａ）に示した折畳式携帯電話機のヒンジ部３の外部にアタッチメントとして本実施の形態の筐体開閉角度調節器４が取り付けられた状態の外観斜視図を示し、本実施の形態の筐体開閉角度調節器４の角度制限部分４ｂに第２の筐体部２の外側面が接触することにより、第２の筐体部２の動きを規制し、第１の筐体部１の内側面と第２の筐体部２の内側面との間の開状態のときの開き角度を物理的に制限している。筐体開閉角度調節器４は、開き角度に制限を付加する目的にのみ使用され、それ以外の機能にはマイナスとなる要因を与えない。
【００２９】
ここで、筐体開閉角度調節器４の素材は、角度制限部分４ｂが第２の筐体部２の外側面と接触しても、第２の筐体部２の外側面に傷等を与えない素材に設定されており、例えば、ウレタン、スポンジ等の弾力性、緩衝性に優れた素材を用い得る。ただし、角度制限部分４ｂは第１の筐体部１と第２の筐体部２の間の開き角度を物理的に制限するものであるため、実際には上記の素材だけでは所期の目的達成が困難であるので、上記の素材によりコーティングされたプラスチック等の弾力性を有しない素材が用いられる。
【００３０】
次に、筐体開閉角度調節器４の構成について更に詳細に説明する。筐体開閉角度調節器４は折畳式携帯電話機に対して着脱自在に接続される構成であり、その第１の構成は、図３（Ａ）、（Ｂ）に４１で示すように、第１の筐体部１と第２の筐体部２との接続部分であるヒンジ部分３を覆うように接続する構成である。この場合、筐体開閉角度調節器４１の基体部分４ａは、ゴム若しくは長さ制限可能なベルト状であり、ヒンジ部分３と第１の筐体部１の一部とを接続するための切欠部３ｃが設けられている。
【００３１】
この筐体開閉角度調節器４１の折畳式携帯電話機に対する装着の強度は、折畳式携帯電話機の筐体部１、２を開いたときに、どの程度の負荷・強度が筐体部１にかかるのか、折畳式携帯電話機のメーカ、操作の仕方などにより様々であるが、少なくとも筐体部１、２を開いたときの負荷に耐え得る強度が必要である。この筐体開閉角度調節器４１は、着脱が割合に容易である。
【００３２】
筐体開閉角度調節器４の第２の構成としては、図４（Ａ）の外観斜視図、同図（Ｂ）の上面図にそれぞれ４２で示すように、第１の筐体部１に直接接合する構成である。この筐体開閉角度調節器４２では、基体部４ａが第１の筐体部１の側面を、緩衝材の一例としての筐体保護用スポンジ４ｅを介して挟み込む形にて接合する構造となっている。ヒンジ部３付近の第１の筐体部１の、ヒンジ部３に結合された一側端部に隣接する２つの側面部（図４（Ｂ）では、図中、上下２つの側面部）を挟み込む形で万力のような構造にて挟み込む。この挟み込む力を調節するために、締め付け用ネジ４ｄが設けられている。この筐体開閉角度調節器４２も折畳式携帯電話機に対して着脱が可能である。なお、図３及び図４は筐体開閉角度調節器４（４１、４２）の構成を説明する図であるため、その構成の説明に関係のない図２（Ａ）、（Ｂ）に示したマイク５、各種キー６、表示部７、スピーカ８は図示を省略してある。
【００３３】
次に、本実施の形態の動作について図５と共に説明する。図５（Ａ）は筐体開閉角度調節器の非装着状態で、開状態の折畳式携帯電話機の一例の外観斜視図とそのときの筐体開角度イメージ１０を示し、図５（Ｂ）は本発明の筐体開閉角度調節器の一実施の形態の装着状態で、開状態のときの折畳式携帯電話機の一例の外観斜視図とそのときの筐体開角度イメージ１１を示す。同図中、図２（Ａ）、（Ｂ）と同一構成部分には同一符号を付し、その説明を省略する。なお、図５（Ａ）、（Ｂ）では図示の便宜上、図２（Ａ）、（Ｂ）に示した各種キー６と表示部７は図示を省略してある。
【００３４】
従来と同様に、筐体開閉角度調節器の非装着状態で、開状態のときの折畳式携帯電話機では、その筐体開角度イメージは図５（Ａ）に１０で示すように、第１の筐体部１の内側面と第２の筐体部２の内側面とが所定角度θ１離間した状態にある。ここで、第１の筐体部１の開閉軸方向と直交する方向の、すなわち、マイク５とスピーカ８を結ぶ直線方向の長さをｙ、第２の筐体部２のマイク５とスピーカ８を結ぶ直線方向の長さをｘとすると、マイク５とスピーカ８との間の距離ｚ１は次式で表される。
【００３５】
ｚ１＝√（ｘ２＋ｙ２−２ｘｙcosθ1）              （１）
一方、本実施の形態の筐体開閉角度調節器４を装着した状態で、開状態のときの折畳式携帯電話機の筐体開角度イメージは図５（Ｂ）に１１で示すように、開角度が制限され、第１の筐体部１の内側面と第２の筐体部２の内側面とが角度θ２（＜θ１）離間した状態にある。このときのマイク５とスピーカ８との間の距離ｚ２は次式で表される。
【００３６】
ｚ２＝√（ｘ２＋ｙ２−２ｘｙcosθ2）              （２）
ここで、本実施の形態の筐体開閉角度調節器４を装着することにより、折畳式携帯電話機の開角度が従来のθ１からθ２に制限されるため、（１）式で表されるｚ１と（２）式で表されるｚ２とは
ｚ１＞ｚ２              （３）
の関係が成り立つ。すなわち、本実施の形態の筐体開閉角度調節器４を装着することにより、マイク５とスピーカ８との間の距離を筐体開閉角度調節器４が未装着の従来の折畳式携帯電話機のそれよりも短くすることができる。なお、本実施の形態の筐体開閉角度調節器４を装着したときのマイク５とスピーカ８との間の距離ｚ２の変化長は、折畳式携帯電話機の装置の仕様によるが、仮にｘ＝１、ｙ＝１、９０＜θ２＜１８０とした場合、
√２＜ｚ２＜２          （４）
となり、最大値の１／２乗まで小さくすることが可能となる。
【００３７】
ところで、現在、携帯電話機の普及率は全国民のおよそ半分にも達しており、幼年の利用者も少なくない。しかし、従来の折畳式携帯電話機の開状態時のマイク５とスピーカ８との間の距離ｚ１は、一般的な大人に合わせた値になっているので、幼年の利用者が折畳式携帯電話機を実際に利用する場合、携帯電話機のスピーカ８を幼年の利用者の耳にあてた状態では携帯電話機のマイク５は幼年の利用者の口の位置に合わないケースが考えられる。
【００３８】
しかし、本実施の形態の筐体開閉角度調節器４を折畳式携帯電話機に取り付けることで、携帯電話機の開状態時のマイク５とスピーカ８との間の距離ｚ２を（４）式に示したように、最大値の１／２乗まで小さくすることができるので、距離ｚ２が幼年の利用者の口と耳の間の距離程度に短くなる筐体開閉角度調節器４を折畳式携帯電話機に取り付けることで、幼年の利用者でも快適に通話を行うことができる。
【００３９】
このように、本実施の形態によれば、折畳式携帯電話機の開き角度を利用者の口と耳との距離に合わせて調節するために、外付けのアタッチメント形式にて折畳式携帯電話機に取り付けられるため、どのような折畳式携帯電話機でも、マイクとスピーカの間の距離を利用者に合わせた開き角度にすることができる。
【００４０】
また、本実施の形態では、折畳式携帯電話機のヒンジ部分に近い位置で筐体開角度に制限を持たせており、非常にコンパクトに所期の機能を果たすことが可能であるため、折畳式携帯電話機に装着した場合であっても既存の折畳式携帯電話機の携帯性を損なうことがない。
【００４１】
また、本実施の形態は、単にヒンジ部分の制御により角度調節を行うのではなく、第１の筐体部１及び第２の筐体部２そのものの動作範囲を制限する角度調節機能を有するものであり、第１及び第２の筐体部１及び２の両方を保持する構造を有するため、操作用の各種キー６が設けられた第１の筐体部１を机上に設置した状態で、第１及び第２の筐体部１、２を任意の角度開いた状態で長期間保持できる。更に、この実施の形態では、スピーカとマイク間の距離の短縮のために筐体開角度を制限すると、使用時に折畳式携帯電話機の画面が見やすくなり、また机上等に設置したときの安定感が向上するため、折畳式携帯電話機の使用時の使い勝手を向上できる。
【００４２】
なお、図１（Ｂ）、図２（Ｂ）及び図５（Ｂ）に示した筐体開閉角度調節器４の高さは固定の一定値であるので、開角度θ２は一定となり、従って（２）式で表される携帯電話機の開状態時のマイク５とスピーカ８との間の距離ｚ２も一定となる。従って、高さを異ならせた複数種類の筐体開閉角度調節器を提供し、利用者の口と耳の間の距離に合わせた高さの筐体開閉角度調節器を選択させることで、利用者に最適な開角度が得られるようにできる。携帯電話機は一般に個人により使用されるものであり、通常は複数人が一つの携帯電話機を共用することはなく、仮に共用するとしても筐体開閉角度調節器４は着脱自在であるので、必要に応じて、別の筐体開閉角度調節器を装着したり、取り外せばよいので、問題はない。
【００４３】
しかし、高さを可変することができる筐体開閉角度調節器も可能であることは勿論である。この場合、例えば図６に概略構成を示す高さ調整機構を用いる。同図において、筐体開閉角度調節器の基体部分２１ａの一側端部に固定された角度制限部分２１ｂは、高さ方向を長手方向とする長穴が高さ調整用ブランク２２として穿設されており、その高さ調整用ブランク２２にはネジ２３が矢印方向に移動自在に設けられる。更に、角度制限部分２１ｂは中空であり、その中空内部にネジ２３と一体的に矢印方向に上下移動可能な角度制限部分２１ｃが設けられており、ネジ２３を締めるとネジ２３と角度制限部分２１ｃがその位置に固定されるようになされている。角度制限部分２１ｃの上部付近に第２の筐体部の外側面が接触して開き角度が制限される。
【００４４】
これにより、ネジ２３を緩め、ネジ２３を高さ調整用ブランク２２内で任意の高さに移動させてネジ２３を締めることにより、そのネジ２３の高さに応じた高さに角度制限部分２１ｃが固定されることとなり、角度制限部分２１ｃの上部により第２の筐体部の外側面が接触して開き角度が制限されると共に、その開き角度がネジ２３の高さに応じた角度に調整されることとなる。従って、このような高さを可変することができる筐体開閉角度調節器を折畳式携帯電話機に装着した場合は、筐体の開閉角度調節が可能となり、これにより利用者個々に合った折畳式携帯電話機のマイクの位置及びスピーカの位置に合わせた角度に筐体開閉角度を保持することができる。
【００４５】
なお、本発明は以上の実施の形態に限定されるものではなく、例えば、筐体開閉角度調節器は、第２の筐体部に取り付けて、第１の筐体部の開き角度を制限することも原理的には可能である。
【図面の簡単な説明】
【００４６】
【図１】閉状態にある折畳式携帯無線端末に対して本発明の筐体開閉角度調節器の一実施の形態が非装着状態と装着状態のときの外観斜視図である。
【図２】開状態にある折畳式携帯無線端末に対して本発明の筐体開閉角度調節器の一実施の形態が非装着状態と装着状態のときの外観斜視図である。
【図３】本発明の筐体開閉角度調節器の一実施の形態の折畳式携帯無線端末に対する接続構成図である。
【図４】本発明の筐体開閉角度調節器の他の実施の形態の折畳式携帯無線端末に対する接続構成図である。
【図５】本発明の筐体開閉角度調節器の動作説明図である。
【図６】本発明の筐体開閉角度調節器の高さ調整機構の一実施の形態の概略構成図である。
【符号の説明】
【００４７】
１  第１の筐体部
２  第２の筐体部
３  ヒンジ部
４、４１、４２  筐体開閉角度調節器
４ａ、２１ａ  基体部分
４ｂ、２１ｂ、２１ｃ  角度制限部分
４ｃ  切欠部
４ｄ  締め付け用ネジ
４ｅ  筐体保護用スポンジ
５  マイク
６  操作用各種キー
７  表示部
８  スピーカ
２２  高さ調節用ブランク
２３  ネジ
【図１】
2005086288.tif 000003
【図２】
2005086288.tif 000004
【図３】
2005086288.tif 000005
【図４】
2005086288.tif 000006
【図５】
2005086288.tif 000007
【図６】
2005086288.tif 000008